(57)【特許請求の範囲】
【請求項１】
受信盤と複数の端末とを具備する伝送システムにおいて、
上記受信盤から継続的に送信され、所定周期で間欠的に、複数の端末のうちのいずれかの端末を呼び出す呼出信号と上記受信盤から上記呼出信号によって呼び出された端末を制御する制御信号とを受信する受信手段と；
上記呼出信号を受信した後に、受信した呼出信号が自己を呼び出す信号であるかどうかを判別する判別手段と；
上記呼出信号を受信した後に、自己を呼び出す信号ではないことを上記判別手段が判別すると、上記呼出信号によって呼び出された端末が返送を終えるまでの所定期間の間、上記受信手段を停止させる停止制御手段と；
を有し、上記受信した呼出信号が自己を呼び出す信号であることを上記判別手段が判別すると、上記呼出信号を受信した後に、上記受信手段を停止し、所定時間が経過した後に、動作継続状態に移行することによって、上記制御信号を受信することを特徴とする伝送システムにおける端末。
【請求項２】
受信盤と複数の端末とを具備する伝送システムにおいて、
上記受信盤から継続的に送信され、所定周期で間欠的に、複数の端末のうちのいずれかの端末を呼び出す呼出信号と上記受信盤から上記呼出信号によって呼び出された端末を制御する制御信号とを受信する受信手段と；
上記呼出信号を受信した後に、受信した呼出信号が自己を呼び出す信号であるかどうかを判別する判別手段と；
上記呼出信号を受信した後に、自己を呼び出す信号ではないことを上記判別手段が判別すると、上記受信手段を、所定期間の間、停止させる停止制御手段と；
を有し、
上記受信した呼出信号が自己を呼び出す信号であることを上記判別手段が判別すると、上記呼出信号を受信した後に、上記受信手段を停止し、所定時間が経過した後に、動作継続状態に移行することによって、上記制御信号を受信し、
上記呼出信号は、上記制御信号の信号長または送信継続時間と、上記制御信号の送信を開始する時間情報と、を含む信号であり、
上記呼出信号によって呼び出された端末が上記呼出信号を受信した後に、上記受信手段を停止し、その後に動作継続状態に移行するまでの上記所定時間は、上記制御信号の送信を開始する時間情報に応じた時間であることを特徴とする伝送システムにおける端末。
【請求項３】
受信盤と複数の端末とを具備する伝送システムにおいて、
上記受信盤から継続的に送信され、所定周期で間欠的に、複数の端末のうちのいずれかの端末を呼び出す呼出信号と上記受信盤から上記呼出信号によって呼び出された端末を制御する制御信号とを受信する受信手段と；
上記呼出信号を受信した後に、受信した呼出信号が自己を呼び出す信号であるかどうかを判別する判別手段と；
上記呼出信号を受信した後に、自己を呼び出す信号ではないことを上記判別手段が判別すると、上記受信手段を、所定期間の間、停止させる停止制御手段と；
を有し、
上記受信した呼出信号が自己を呼び出す信号であることを上記判別手段が判別すると、上記呼出信号を受信した後に、上記受信手段を停止し、所定時間が経過した後に、動作継続状態に移行することによって、上記制御信号を受信し、
上記呼出信号は、上記制御信号の信号長または送信継続時間と、上記制御信号の送信を開始する時間情報とを含む信号であり、
上記呼出信号によって呼び出されない端末が上記呼出信号を受信した後に、上記受信手段を停止する上記所定期間は、上記制御信号の信号長または送信継続時間と上記制御信号の送信を開始する時間情報とに応じた期間であることを特徴とする伝送システムにおける端末。
【発明の詳細な説明】
【技術分野】
【０００１】
本発明は、伝送システムに係り、特に、その信号伝送方式に関する。
【背景技術】
【０００２】
近年、受信盤と端末との間での伝送システムとして、従来の有線方式を使用せずに、無線信号を使用して信号伝送する無線式防災システムの採用の要望が高まっている。無線式防災システムは、間仕切り変更への対応が容易であり、施行工事が簡便であり、また、配線省略によって美観を確保できる等、優位性が高く、一部の住宅用システムや、施工中の仮設システムとして実用化されている。
【０００３】
上記無線式防災システムにおいて、防災システムの端末として、火災センサや侵入センサ等があり、端末自身が内蔵する電池を電源とし、火災や侵入者を検知した検知信号を、受信盤へ無線送信し、この検知信号を受信した受信盤が、警報を発する。
【０００４】
防災システムにおいて、適正な信号送信を確保することは、有線式、無線式を問わず、重要であり、このためには、受信盤と端末との間で信号路を監視することが必要である。
【０００５】
無線式防災システムにおいて、受信盤と端末との間の信号路を、受信盤が監視する場合、端末が、一定時間毎に無線信号を送信し（定期送信し）、受信盤が、所定時間毎に上記無線信号を受信することができれば、その端末と信号路とが正常であると判断する。逆に、受信盤が、上記無線信号を受信することができなければ、その端末または信号路が異常であると判断し、受信盤が、管理者へ注意警報を発するシステムが知られている（たとえば、特許文献１参照）。
【特許文献１】特開２００３−１６５５５号公報
【発明の開示】
【発明が解決しようとする課題】
【０００６】
上記従来例では、受信盤と端末との間で確実に信号伝送しようとすると、端末が頻繁に上記定期送信を行う必要があり、端末が頻繁に上記定期送信を行うと、端末の内蔵電池が早く消耗し、電池交換の回数が増えるので、電池交換の手間が多くなり、電池交換コストが高くなり、したがって、使用者の負担が増大するという問題がある。
【０００７】
つまり、上記従来の無線式防災システムでは、受信盤と端末との間で、確実に信号伝送しようとすると、端末における消費電力が大きいという問題がある。
【０００８】
本発明は、上記のような伝送システムにおいて、受信盤と端末との間で、確実に信号伝送することでき、しかも、端末における消費電力を大幅に少なくすることができる伝送システム、その受信盤およびその端末を提供することを目的とするものである。
【課題を解決するための手段】
【０００９】
本願発明は、受信盤と複数の端末とを具備する伝送システムにおいて、上記受信盤から継続的に送信され、所定周期で間欠的に、複数の端末のうちのいずれかの端末を呼び出す呼出信号と上記受信盤から上記呼出信号によって呼び出された端末を制御する制御信号とを受信する受信手段と、上記呼出信号を受信した後に、受信した呼出信号が自己を呼び出す信号であるかどうかを判別する判別手段と、上記呼出信号を受信した後に、自己を呼び出す信号ではないことを上記判別手段が判別すると、上記呼出信号によって呼び出された端末が返送を終えるまでの所定期間の間、上記受信手段を停止させる停止制御手段とを有し、上記受信した呼出信号が自己を呼び出す信号であることを上記判別手段が判別すると、上記呼出信号を受信した後に、上記受信手段を停止し、所定時間が経過した後に、動作継続状態に移行することによって、上記制御信号を受信することを特徴とする伝送システムにおける端末である。
【発明の効果】
【００１１】
本発明によれば、伝送システムにおいて、受信盤と端末との間で、確実に信号伝送することでき、しかも、端末における消費電力を大幅に少なくすることができるという効果を奏する。
【発明を実施するための最良の形態】
【００１２】
発明を実施するための最良の形態は、以下の実施例である。
【実施例１】
【００１３】
図１は、本発明の実施例１である伝送システムを利用した無線式防災システム１００を示すブロック図である。
【００１４】
無線式防災システム１００は、伝送システムの一例であり、火災感知器ＳＥａ、ＳＥｂ、ＳＥｃと、中継器２０と、伝送線Ｌと、火災受信機３０とを有する。
【００１５】
なお、図１において、火災感知器が３つ設けられているが、火災感知器を４つ以上設けるようにしてもよく、設置数がいくつであってもよい。
【００１６】
図２は、火災感知器ＳＥａを示すブロック図である。
【００１７】
火災感知器ＳＥａは、端末の一例であり、火災検出部１１と、電池１２と、電源回路１３と、アンテナ１４と、送受信回路１５と、電圧監視回路１６と、制御部１７と、記憶部１８とを有する。
【００１８】
火災検出部１１は、火災現象を検出する。電池１２は、火災感知器ＳＥａの全体に電力を供給する。電源回路１３は、電池１２が出力する電圧を所定の電圧に変換し、また、電源供給のタイミングを制御する。
【００１９】
送受信回路１５は、送信回路１５Ｔと受信回路１５Ｒとを有する。受信回路１５Ｒは、受信盤の一例である中継器から、所定周期で間欠的に、呼出信号を受信する受信手段の例である。また、上記「呼出信号」は、複数の端末のうちのいずれかの端末を呼び出す信号である。送信回路１５Ｔは、中継器２０に、種々の信号を送信する。
【００２０】
電圧監視回路１６は、電池１２に基づく電源電圧を監視する。
【００２１】
制御部１７は、火災感知器ＳＥａの全体を制御するとともに、呼出信号を受信した後に、上記受信した呼出信号が自己（火災感知器ＳＥａ）を呼び出す信号であるかどうかを判別する判別手段の例であり、また、呼出信号を受信した後に、自己（火災感知器ＳＥａ）を呼び出す信号ではないことを上記判別手段が判別すると、受信回路１５Ｒを、所定期間の間、停止させる停止制御手段の例である。さらに、制御部１７は、呼出信号を受信した後に、自己（火災感知器ＳＥａ）を呼び出す信号であることを上記判別手段が判別すると、受信回路１５Ｒを、所定期間の間、動作継続状態に移行させる動作継続状態移行制御手段の例である。
【００２２】
記憶部１８は、制御部１７が実行するプログラムを記憶し、端末固有（火災感知器ＳＥａ固有）のアドレスデータを記憶し、他の必要な諸データを記憶する。
【００２３】
火災感知器ＳＥｂ、ＳＥｃの各構成は、火災感知器ＳＥａの構成と同様である。
【００２４】
図３は、受信盤の一例である中継器２０の構成を示すブロック図である。
【００２５】
中継器２０は、アンテナ２１と、送受信回路２２と、制御部２３と、記憶部２４と、電源回路２５と、電圧監視回路２７と、伝送回路２８とを有する。
【００２６】
送受信回路２２は、送信回路２２Ｔと、受信回路２２Ｒとを有する。送信回路２２Ｔは、端末が間欠的に受信する間欠周期以上の期間に、上記複数の端末のうちの１つの端末を呼び出す呼出信号を、継続的に送信し、また、上記呼出信号によって呼び出された端末を制御する制御信号を送信する送信手段の例である。受信回路２２Ｒは、火災感知器ＳＥａ、ＳＥｂ、……からの信号を受信する。
【００２７】
制御部２３は、中継器２０の全体を制御する。また、制御部２３と送信回路２２Ｔとは、端末が間欠的に受信する間欠周期以上の期間に、上記複数の端末のうちの１つの端末を呼び出す呼出信号を、継続的に送信する呼出信号送信手段の例である.さらに、制御部２３と送信回路２２Ｔとは、上記呼出信号によって呼び出された端末が動作継続状態であるときに、上記呼出信号によって呼び出された端末を制御する制御信号を送信する制御信号送信手段の例である。
【００２８】
記憶部２４は、制御部２３が実行するプログラムを記憶し、他の必要な諸データを記憶する。電源回路２５は、中継器２０における各部に、必要な電圧で電力を供給する。電圧監視回路２７は、中継器２０における各電圧を監視する。伝送回路２８は、伝送線Ｌを介して、火災受信機３０との間で信号を送受信する回路である。
【００２９】
次に、実施例１の動作について説明する。
【００３０】
図４は、無線式防災システム１００の動作を示すタイムチャートである。
【００３１】
ここで、呼出信号ａは、火災感知器ＳＥａを呼び出す呼出信号であり、呼出信号ｂは、火災感知器ＳＥｂを呼び出す呼出信号である。制御信号ａｃは、火災感知器ＳＥａを制御する制御信号であり、制御信号ｂｃは、火災感知器ＳＥｂを制御する制御信号である。
【００３２】
返送信号ａｄは、火災感知器ＳＥａが中継器２０へ返送する返送信号である。送信継続時間Ｔｔは、呼出信号を送信する継続時間である。制御信号長Ｔｗは、制御信号ａｃの長さである。制御信号送信開始時間Ｔｕは、制御信号の送信開始までの時間である。
【００３３】
間欠動作周期時間Ｔｃは、受信手段（火災感知器ＳＥａ）の間欠動作の１周期の時間であり、動作継続時間Ｔｏは、受信手段（火災感知器ＳＥａ）の間欠動作時における動作継続時間である。
【００３４】
なお、上記「間欠動作」は、受信回路１５ＲのＯＮ、ＯＦＦのタイミングについて、間欠動作数奇時間Ｔｃ毎に起動し、動作継続時間Ｔｏの間ＯＮする動作である。再動作開始時間Ｔｓは、受信手段（火災感知器ＳＥａ）の再動作開始時間である。再動作継続時間Ｔｇは、受信手段（火災感知器ＳＥａ）の再動作継続時間である。返送信号長Ｔｒは、中継器２０へ返送する返送信号の長さである。停止時間Ｔｚは、呼び出されていない端末の停止時間である。
【００３５】
なお、Ｔｔ≧Ｔｃ、Ｔｓ≦Ｔｕ、Ｔｇ≧Ｔｗ、Ｔｚ≦Ｔｕ＋Ｔｗ＋Ｔｒである。
【００３６】
図５は、実施例１の動作を示すフローチャートであり、中継器２０が火災感知器ＳＥａを呼び出した場合の動作を示すフローチャートである。
【００３７】
なお、図５では、火災感知器ＳＥａ以外の火災感知器ＳＥｂ、ＳＥｃ、……の代表として、火災感知器ＳＥｂを記載してある。
【００３８】
まず、Ｓ１では、中継器２０が、火災受信機ＳＥａを呼び出す呼出信号ａを、送信継続時間Ｔｔの間、継続して送信する。
【００３９】
Ｓ２では、火災感知器ＳＥａ、ＳＥｂ、……のそれぞれは、間欠動作する受信回路１５Ｒが呼出信号ａを受信する。
【００４０】
図６は、無線式防災システム１００で使用される呼出信号の構成例を示す図である。
【００４１】
なお、ＳＴは、スタートコードであり、ＡＤは、呼び出す火災感知器のアドレスである。
【００４２】
Ｓ３では、火災感知器ＳＥａが、受信した呼出信号ａに含まれているアドレスと、記憶部１８に設定された自己アドレスとを比較し、受信した呼出信号ａに含まれているアドレスと、自己アドレスとが一致し、自己が呼び出されたことを認識する。
【００４３】
Ｓ４では、自己（火災感知器ＳＥａ）に送られるべき制御信号を受信するために、火災感知器ＳＥａの受信回路１５Ｒを、継続してＯＮする。
【００４４】
なお、Ｓ４において、受信した呼出信号ａに含まれているアドレスと、自己アドレスとが一致し、自己が呼び出されたことを認識したときに、呼出信号中に、制御信号の開始時間Ｔｕ情報が含まれていれば、受信回路１５ＲをＯＦＦして消費電流を低減させ、制御信号の開始時間Ｔｕに対応する時間で、受信回路１５Ｒを再ＯＮさせるようにしてもよい。
【００４５】
Ｓ５では、中継器２０が、呼出信号を送信した後に、火災感知器ＳＥａへ制御信号ａｃを送信する。この場合、制御信号が、固定長であるとしてもよく、または、火災感知器ＳＥの種別や用途に応じて、制御コードＣＭの数（１〜ｎ）を変え、制御信号が可変長であるとしてもよい。
【００４６】
Ｓ６では、火災感知器ＳＥａは、制御信号ａｃを受信し、制御コードＣＭを解析し、指定された制御を実行し、または、送信回路１５Ｔを介して返送信号ａｄを、中継器２０へ返送する。
【００４７】
このときに、受信回路１５Ｒの動作継続期間を、一定時間でもあるとして簡便にしてもよい。また、制御信号に制御信号長Ｔｗ情報が含まれていれば、制御信号長Ｔｗに対応する時間の間、受信回路１５Ｒを動作状態とするようにしてもよい。さらに、制御信号の終了コードＥＮが、制御信号に含まれていれば、受信回路１５Ｒが終了コードＥＮを受信するまで、受信回路１５Ｒを動作状態とするようにしてもしてもよい。
【００４８】
Ｓ７では、火災感知器ＳＥａは、必要な処理を完了し、受信回路１５Ｒの間欠動作を再開する。
【００４９】
ところで、Ｓ１で、中継器２０が、火災受信機ＳＥａを呼び出す呼出信号ａを、送信継続時間Ｔｉの間、継続して送信した後に、Ｓ１２で、火災感知器ＳＥａと同様に、火災感知器ＳＥｂの受信回路１５Ｒは、間欠動作し、呼出信号ａを受信する。
【００５０】
Ｓ１３では、火災感知器ＳＥｂが、受信した呼出信号ａに含まれているアドレスと自己アドレスとを比較し、受信した呼出信号ａに含まれているアドレスと、自己アドレスとが不一致であると判断し、したがって、自己（火災感知器ＳＥｂ）が呼び出されていないことを認識する。
【００５１】
火災感知器ＳＥｂは、自己が呼び出されていない端末であることを認識し、Ｓ１４では、火災感知器ＳＥｂの受信回路１５Ｒを、一定時間Ｔｚの間、ＯＦＦし、Ｓ１５では、その後に、受信回路１５Ｒによる間欠動作を再開する。
【００５２】
または、Ｓ１３において、火災感知器ＳＥｂが、自己が呼び出されていない端末であることを認識した場合、呼出信号中に制御信号の開始時間Ｔｕの情報や制御信号長Ｔｗが含まれていれば、これらの情報に対応する時間Ｔｚの間、受信回路１５ＲをＯＦＦし、その後に、受信回路１５Ｒが間欠動作を再開するようにしてもよい。
【００５３】
図７は、無線式防災システム１００で使用される制御信号の構成例を示す図である。
【００５４】
なお、ＣＭ１は、１番目の制御コードであり、ＣＭｎは、ｎ番目の制御コードであり、ＥＮは、終了コードである。
【００５５】
呼出信号中の制御信号の開始時間Ｔｕ情報を、一定値であるとしてもよく、制御コードが多数あるときには、呼出信号中の制御信号をいくつかに分割し、同じ端末に連続して呼び出す各呼出信号に、上記分割された各制御信号を付加するようにしてもよい。
【００５６】
以上で、火災感知器ＳＥａに対する処理が終わり、次の火災感知器である火災感知器ＳＥｂに対する処理に移る。
【００５７】
図８は、実施例１の動作を示すフローチャートであり、中継器２０が火災感知器ＳＥｂを呼び出した場合の動作を示すフローチャートである。
【００５８】
なお、図８では、火災感知器ＳＥｂ以外の火災感知器ＳＥａ、ＳＥｃ、……の代表として、火災感知器ＳＥａを記載してある。
【００５９】
まず、Ｓ１では、中継器２０が、火災受信機ＳＥｂを呼び出す呼出信号ｂを、送信継続時間Ｔｔの間、継続して送信する。
【００６０】
Ｓ２２では、火災感知器ＳＥａ、ＳＥｂ、……のそれぞれは、間欠動作する受信回路１５Ｒが呼出信号ｂを受信する。
【００６１】
Ｓ２３では、火災感知器ＳＥｂが、受信した呼出信号ｂに含まれているアドレスと自己アドレスとを比較し、受信した呼出信号ｂに含まれているアドレスと、自己アドレスとが一致し、自己が呼び出されたことを認識する。
【００６２】
Ｓ２４では、自己（火災感知器ＳＥｂ）に送られるべき制御信号を受信するために、火災感知器ＳＥｂの受信回路１５Ｒを、継続してＯＮする。
【００６３】
Ｓ２５では、中継器２０が、呼出信号を送信した後に、火災感知器ＳＥｂへ制御信号ｂｃを送信する。この場合、制御信号が、固定長であるとしてもよく、または、火災感知器ＳＥの種別や用途に応じて、制御コードＣＭの数（１〜ｎ）を変え、制御信号が可変長であるとしてもよい。
【００６４】
Ｓ２６では、火災感知器ＳＥｂは、制御信号ｂｃを受信し、制御信号ｂｃに含まれている制御コードＣＭを解析し、指定された制御を実行し、または、返送信号ｂｄを、中継器２０へ返送する。
【００６５】
このときに、受信回路１５Ｒの動作継続期間を、一定時間でもあるとしてもよい。また、制御信号に制御信号長Ｔｗ情報が含まれていれば、制御信号長Ｔｗに対応する時間の間、受信回路１５Ｒを動作状態とするようにしてもよい。さらに、制御信号の終了コードＥＮが、制御信号に含まれていれば、受信回路１５Ｒが終了コードＥＮを受信するまで、受信回路１５Ｒを動作状態とするようにしてもしてもよい。
【００６６】
Ｓ２７では、火災感知器ＳＥｂは、必要な処理を完了し、受信回路１５Ｒの間欠動作を再開する。
【００６７】
ところで、Ｓ１で、中継器２０が、火災受信機ＳＥｂを呼び出す呼出信号ｂを、送信継続時間Ｔｔの間、継続して送信した後に、Ｓ３２で、火災感知器ＳＥａの受信回路１５Ｒは、間欠動作し、呼出信号ｂを受信する。
【００６８】
Ｓ３３では、火災感知器ＳＥａが、受信した呼出信号ｂに含まれているアドレスと自己アドレスとを比較し、受信した呼出信号ｂに含まれているアドレスと、自己アドレスとが不一致であると判断し、したがって、自己（火災感知器ＳＥａ）が呼び出されていないことを認識する。
【００６９】
Ｓ３４では、火災感知器ＳＥａの受信回路１５Ｒを、一定時間Ｔｚの間、ＯＦＦし、その後に、受信回路１５Ｒによる間欠動作を再開する。
【００７０】
または、Ｓ３３において、火災感知器ＳＥａが、自己が呼び出されていない端末であることを認識した場合、呼出信号中に制御信号の開始時間Ｔｕの情報や制御信号長Ｔｗが含まれていれば、これらの情報に対応する時間Ｔｚの間、Ｓ３４で、受信回路１５ＲをＯＦＦし、その後に、Ｓ３５で、受信回路１５Ｒが間欠動作を再開するようにしてもよい。
【００７１】
つまり、上記実施例において、火災感知器に、送信回路１５Ｔと受信回路１５Ｒと火災感知器固有のアドレスデータとを設け、受信回路１５Ｒを所定の周期で間欠動作させることによって、その火災感知器の全体の電力消費を減少させることができ、また、中継器２０から、少なくとも火災感知器を呼び出すに必要な信号長だけ、火災感知器を呼び出すようにした。
【００７２】
アドレスデータを含む火災感知器への呼出信号を、受信回路１５Ｒの間欠周期以上の期間に渡り連続送信させ、また、上記送信後に、呼び出された火災感知器への制御信号を送信する。中継器２０からの呼出信号によって呼び出された火災感知器が、呼出信号の受信直後に、または、一定時間後に、受信回路１５Ｒを動作させることによって、中継器２０からの制御信号を受信する。また、呼び出されていない火災感知器が、呼出信号受信後の一定期間に、受信回路１５Ｒを停止させる。したがって、呼び出された火災感知器が、中継器２０からの呼出信号と制御信号とを確実に受信することができ、また、呼び出されていない火災感知器の不要な電力損失を防止することができる。
【００７３】
上記呼び出された火災感知器での制御信号用としての受信回路１５Ｒの動作期間と、呼び出されていない火災感知器で呼出信号を受信した後における受信回路１５Ｒの停止期間とを、それぞれ一定にしてもよい。
【００７４】
たとえば、制御信号が火災感知器の用途・種別等に応じて、可変長であれば、呼出信号内に、その後の制御信号長情報を付加し、これによって、受信し、呼び出された火災感知器、呼び出されていない火災感知器に、制御信号長情報に応じた受信回路１５Ｒの動作期間、停止期間を、それぞれ、判断させる。これによって、対応する動作・停止制御をさせ、呼び出された火災感知器が制御信号を受信した後に、電力損失を防止することができる。また、呼び出されていない火災感知器においても、次の呼出信号受信へ確実に応答させることができる。
【００７５】
上記呼び出された火災感知器で制御信号を受信した後における電力損失を防止する手段には、制御信号内に制御信号長情報を付加するようにしてもよく、または、制御信号に終了コードを付加するようにしてもよく、上記と同様の効果を奏する。
【００７６】
さらに、制御信号の固定長、可変長に拘らず、呼出信号内に、その後の制御信号の送信開始時間に関する情報を付加し、呼び出された火災感知器が呼出信号を受信した後に、受信回路１５Ｒを停止させ、その後に、上記送信開始時間情報に対応する時間の間、受信回路１５Ｒを動作状態とすることによって、呼出信号を受信してから制御信号を受信するまで間に、呼び出された火災感知器の受信回路１５Ｒを連続的に動作状態とする方法と比較すると、呼び出された火災感知器の電力損失を低減することができる。
【００７７】
また、呼び出されていない火災感知器が、呼出信号受信後の受信回路１５Ｒを停止する受信停止期間Ｔｚの判断要素として、上記呼出信号の送信開始時間情報を利用することができる。
【００７８】
上記呼出信号内に付加する制御信号の送信開始時間情報を、固定値であるとしてもよく、また、呼出信号の送信継続時間と、制御信号の送信開始時間とに基づいて算出される可変値であるとしてもよい。
【００７９】
上記実施例によれば、特に無線式の防災システムにおいて、中継器２０と火災感知器ＳＥとの間における信号伝送を確実にすることでき、しかも、端末としての火災感知器ＳＥにおける消費電力を大幅に少なくすることができる。
【００８０】
また、上記実施例によれば、受信回路１５Ｒを、所定の周期で間欠動作させることによって、火災感知器ＳＥの全体の消費電力が少なくなる。
【００８１】
さらに、中継器２０から、１つの火災感知器のアドレスを含み、その火災感知器を呼び出す呼出信号を、上記受信回路１５Ｒの間欠周期よりも長い時間、連続送信するので、中継器２０からの呼出信号を、火災感知器が確実に受信し、この呼び出された火災感知器が、対応する返送信号を送信することができる。
【００８２】
上記実施例において、無線信号が、電磁波、光、音波であっても、その効果は、同じである。
【００８３】
上記実施例によれば、火災感知器ＳＥに電池を用いる無線式火災感知器ＳＥで、特にその効果が高いが、有線式火災感知器ＳＥであっても、火災感知器ＳＥにおける消費電力が少なくなる。
【００８４】
火災感知器の代わりに、火災感知器以外の火災センサまたは侵入センサ等の火災感知器に、上記実施例を適用するようにしてもよい。
【図面の簡単な説明】
【００８５】
【図１】本発明の実施例１である無線式防災システム１００を示すブロック図である。
【図２】火災感知器ＳＥａを示すブロック図である。
【図３】中継器２０の一例である中継器２０の構成を示すブロック図である。
【図４】無線式防災システム１００の動作を示すタイムチャートである。
【図５】実施例１の動作を示すフローチャートであり、中継器２０が火災感知器ＳＥａを呼び出した場合の動作を示すフローチャートである。
【図６】無線式防災システム１００で使用される呼出信号の構成例を示す図である。
【図７】無線式防災システム１００で使用される制御信号の構成例を示す図である。
【図８】実施例１の動作を示すフローチャートであり、中継器２０が火災感知器ＳＥｂを呼び出した場合の動作を示すフローチャートである。
【符号の説明】
【００８６】
１００…無線式防災システム、
ＳＥａ、ＳＥｂ、ＳＥｃ…火災感知器、
１１…火災検出部、
１２…電池、
１３…電源回路、
１４…アンテナ、
１５…送受信回路、
１５Ｒ…受信回路、
１５Ｔ…送信回路、
１７…制御部、
１８…記憶部、
２０…中継器、
２１…アンテナ、
２２…送受信回路、
２２Ｒ…受信回路、
２２Ｔ…送信回路、
２３…制御部、
２４…記憶部、
３０…火災受信機。
【図１】
0004726122.tif 000002
【図２】
0004726122.tif 000003
【図３】
0004726122.tif 000004
【図４】
0004726122.tif 000005
【図５】
0004726122.tif 000006
【図６】
0004726122.tif 000007
【図７】
0004726122.tif 000008
【図８】
0004726122.tif 000009